(57)【要約】【課題】シール蓋に開孔する孔の面積を十分に広げることが可能な封緘容器を提供する。【解決手段】口頸部６を起立する容器体２と、上記口頸部６を封鎖するシール蓋８と、このシール蓋８と向かい合わせて口頸部６に対して昇降可能に支承された開孔手段２０とを具備する。上記開孔手段２０は、基部２４より、垂直方向から見て中心点Ｃから放射状に配向する複数のカッター刃２８と、カッター刃同士の間に位置させた複数の押圧片３２とをそれぞれシール蓋８側へ突出させてなり、この開孔手段２０をシール蓋８へ圧接させることで、カッター刃２８がシール蓋８に突入して放射形状の孔を開口するとともに、カッター刃同士の間のシール蓋８を押圧片３２で圧接することで当該孔を押し広げるように構成した。【選択図】図１
2015209238.tif 000002
【特許請求の範囲】
【請求項１】
口頸部(６)を起立する容器体(２)と、
上記口頸部(６)を封鎖するシール蓋(８)と、
このシール蓋(８)と向かい合わせて口頸部(６)に対して昇降可能に支承された開孔手段(２０)と、
を具備し、
上記開孔手段(２０)は、基部(２４)より、垂直方向から見て中心点(Ｃ)から放射状に配向する複数のカッター刃(２８)と、カッター刃同士の間に位置させた複数の押圧片(３２)とをそれぞれシール蓋(８)側へ突出させてなり、
この開孔手段(２０)をシール蓋(８)へ圧接させることで、カッター刃(２８)がシール蓋(８)に突入して放射形状の孔を開口するとともに、カッター刃(２８)同士の間のシール蓋(８)を押圧片(３２)で圧接することで当該孔を押し広げるように構成したことを特徴とする、封緘容器。
【請求項２】
上記口頸部(６)の外面に外周壁(１４)の下半部を嵌合するとともに、外周壁(１４)の上半部から上内方へ突出する複数の弾性支承片(２２)の先端部に開孔手段(２０)の基部(２４)を連結し、それら弾性支承片(２２)の弾性変形により、開孔手段(２０)が下方へ弾性反転することが可能としたことを特徴とする、請求項１記載の封緘容器。
【請求項３】
上記口頸部(６)から起立する外周壁(１４)を含むキャップ本体(１２)、及び、外周壁(１４)の上部に嵌合した蓋体(４２)とからなるキャップ(１０)を具備し、
上記開孔手段(２０)は、上記外周壁(１４)の上部内に支承したことを特徴とする、請求項２記載の封緘容器。
【請求項４】
上記押圧片(３２)は、上記開孔手段(２０)の中心点(Ｃ)から離して、中心点(Ｃ)に対して放射状に配向した垂直板状の押圧突起(３６)を含むことを特徴とする、請求項１から請求項３の何れかに記載の封緘容器。
【請求項５】
上記カッター刃(２８)は、それぞれの内端部を相互に連結して放射状のカッター(２６)に形成しており、
各カッター刃(２８)の外側部分を、カッター刃(２８)の内側部分に比べて水平面に対して小さな勾配を有し又は無勾配となるように形成して、押圧片(３２)とともにシール蓋(８)を押圧する補助押圧部(３０)としたことを特徴とする、請求項１から請求項４の何れかに記載の封緘容器。
【請求項６】
上記基部(２４)はリング状に形成しており、
この基部(２４)に対して、周方向に間隔を存してカッター刃(２８)及び押圧片(３２)の外端部をそれぞれ交互に連結していることを特徴とする、請求項１から請求項５のいずれかに記載の封緘容器。
【発明の詳細な説明】
【技術分野】
【０００１】
本発明は、封緘容器に関する。
【背景技術】
【０００２】
この種容器として容器体の口頸部上端面を封鎖するシール蓋を設けるとともに、口頸部の外面から起立する周壁内に下から見て十字形のカッターを下降可能に挿入し、このカッターを下降させることでシール蓋を破断することが可能に構成したものが知られている（特許文献１）。
【先行技術文献】
【特許文献】
【０００３】
【特許文献１】特開平８−７２９２１
【発明の概要】
【発明が解決しようとする課題】
【０００４】
特許文献１の容器では、十字形のカッターをシール蓋に突入させて開孔するようにしているが、シール蓋の材質によっては、例えばアルミなどを使用した場合には、孔が十分な大きさで開かないという問題点があった。
【０００５】
本発明の目的は、シール蓋に開孔する孔の面積を十分に広げることが可能な封緘容器を提供することである。
【課題を解決するための手段】
【０００６】
第１の手段は、口頸部６を起立する容器体２と、
上記口頸部６を封鎖するシール蓋８と、
このシール蓋８と向かい合わせて口頸部６に対して昇降可能に支承された開孔手段２０と、
を具備し、
上記開孔手段２０は、基部２４より、垂直方向から見て中心点Ｃから放射状に配向する複数のカッター刃２８と、カッター刃同士の間に位置させた複数の押圧片３２とをそれぞれシール蓋８側へ突出させてなり、
この開孔手段２０をシール蓋８へ圧接させることで、カッター刃２８がシール蓋８に突入して放射形状の孔を開口するとともに、カッター刃２８同士の間のシール蓋８を押圧片３２で圧接することで当該孔を押し広げるように構成した。
【０００７】
本手段は、図１に示す如く、シール蓋に穿孔するためのカッター刃２８の他に、孔を押し広げるための押圧片３２を有する開孔手段２０を設けることを提案する。これにより、孔の開口面積を十分に大きくすることができる。
【０００８】
「押圧片」は、カッター刃と同数であることが好ましいが、このことは必ずしも発明の必須条件ではない。
「基部」は、カッター２６の中心点Ｃと同心状のリング体とし、このリング体の周方向に等間隔にカッター刃２８及び押圧片３２を連結することができる。
【０００９】
第２の手段は、第１の手段を有し、かつ
上記口頸部６の外面に外周壁１４の下半部を嵌合するとともに、外周壁１４の上半部から上内方へ突出する複数の弾性支承片２２の先端部に開孔手段２０の基部２４を連結し、それら弾性支承片２２の弾性変形により、開孔手段２０が下方へ弾性反転することが可能とした。
【００１０】
本手段は、図２に示す如く、上記開孔手段２０の基部２４を弾性反転可能に支承する弾性支承片２２を設けることを提案する。この構成では、開孔手段２０をシール蓋８へ例えば手で圧接した場合に、開孔手段２０のカッター２６及び押圧片３２がシール蓋８に当たる瞬間に手の圧接力の他に弾性支承片２２の弾性力が加わる。従って孔ｈを押し広げることが容易である。
【００１１】
第３の手段は、第２の手段を有し、かつ
上記口頸部６から起立する外周壁１４を含むキャップ本体１２、及び、外周壁１４の上部に嵌合した蓋体４２とからなるキャップ１０を具備し、
上記開孔手段２０は、上記外周壁１４の上部内に支承した。
【００１２】
本手段は、図１に示す如く、開孔手段２０をキャップ１０の内部に支承させている。従って開孔手段２０が不意に他物に当たってシール蓋８側へ反転する不都合を回避できる。
【００１３】
第４の手段は、第１の手段から第３の手段のいずれかを有し、かつ
上記押圧片３２は、上記開孔手段２０の中心点Ｃから離して、中心点Ｃに対して放射状に配向した垂直板状の押圧突起３６を含む。
【００１４】
本手段では、押圧片３２を、図１に示す如く放射方向に配向した垂直板として形成している。垂直板は、カッター２６により開口した孔を放射方向外側へ押し広げるときに十分な剛性を発揮できるので、十分に孔を拡開することができる。
【００１５】
第５の手段は、第１の手段から第４の手段のいずれかを有し、かつ
上記カッター刃２８は、それぞれの内端部を相互に連結して放射状のカッター２６に形成しており、
各カッター刃２８の外側部分を、カッター刃２８の内側部分に比べて水平面に対して小さな勾配を有し又は無勾配となるように形成して、押圧片３２とともにシール蓋８を押圧する補助押圧部３０とした。
【００１６】
本手段では、図２に示すように、カッター刃２８の外側部分を、押圧片３２とともにシール蓋８を押圧する補助押圧部３０とすることを提案している。そのためには、当該外側部分が内側部分に比べて水平面に対して小さな勾配又は無勾配となるようにすればよい。
【００１７】
第６の手段は、第１の手段から第５の手段のいずれかを有し、かつ
上記基部２４はリング状に形成しており、
この基部２４に対して、周方向に間隔を存してカッター刃２８及び押圧片３２の外端部をそれぞれ交互に連結している。
【００１８】
本手段では、図１に示すように基部２４をリング状に形成して、当該基部にカッター刃２８及び押圧片３２をそれぞれ連結している。リング状の基部２４内を内容物が通過するので、開孔手段２０が内容物の吐出の邪魔になることがない。
【発明の効果】
【００１９】
第１の手段に係る発明によれば、カッター刃２８及び押圧片３２との組み合わせにより、シール蓋８を十分に開口することができる。
第２の手段に係る発明によれば、開孔手段２０をシール蓋８へ圧接させるときに、開孔手段２０の弾性反転による付勢力が加わるので、シール蓋８を破断させ易い。
第３の手段に係る発明によれば、キャップ１０内に開孔手段２０を支承させたから、不意に開孔手段２０に接触してシール蓋８を開口させてしまうことを防止できる。
第４の手段に係る発明によれば、押圧片３２を上記中心点Ｃから離れて、当該中心点Ｃに対して放射状に配向した垂直板としたから、孔を押し広げる効果を十分に発揮できる。
第５の手段に係る発明によれば、カッター刃２８の外側部分を、押圧片３２とともにシール蓋８を押圧する補助押圧部３０としたから、孔を押し広げる機能がさらに向上する。
第６の手段に係る発明によれば、リング状の基部２４にカッター刃２８及び押圧片３２を連結したから、開孔手段２０が内容物の吐出を妨げない。
【図面の簡単な説明】
【００２０】
【図１】本発明の第１実施形態に係る封緘容器の一部を切り欠いて示す平面図である。
【図２】図１の容器のＩＩ−ＩＩ方向の断面図である。
【図３】図１の容器のＩＩＩ−ＩＩＩ方向の断面図である。
【図４】図１の容器の主要部品の斜視図である。
【図５】図１の容器の開封作業の初期段階の説明図であり、同図（Ａ）は蓋体を外した容器の平面図、同図（Ｂ）は同図（Ａ）のＢ−Ｂ方向の断面図、同図（Ｃ）は同図（Ａ）のＣ−Ｃ方向の断面図である。
【図６】図１の容器の開封作業が進んだ段階の説明図であり、同図（Ａ）は蓋体を外した容器の平面図、同図（Ｂ）は同図（Ａ）のＢ−Ｂ方向の断面図、同図（Ｃ）は同図（Ａ）のＣ−Ｃ方向の断面図である。
【図７】本発明の第２実施形態に係る封緘容器の一部を切り欠いて示す平面図である。
【図８】図７の容器のＶＩＩＩ−ＶＩＩＩ方向の断面図である。
【図９】図７の容器のＩＸ−ＩＸ方向の断面図である。
【図１０】図７の容器の変形例の平面図である。
【図１１】図１０の容器のＸＩ−ＸＩ方向の断面図である。
【図１２】図１０の容器の作用の説明図である。
【発明を実施するための最良の形態】
【００２１】
図１から図６は、本発明の第１の実施形態に係る封緘容器を示している。
【００２２】
この封緘容器は、本実施形態において容器体２とシール蓋８とキャップ１０とで構成されている。これら容器体及びキャップは、例えば合成樹脂材で、またシール蓋８は例えばアルミニウムなどの金属でそれぞれ形成することができる。
【００２３】
容器体２は、胴部４から肩部を介して口頸部６を起立している。図示の口頸部６は、その下部６ａ及び上部６ｃに比べて上下方向の中間部６ｂを大径に形成しており、この中間部の外面に螺条を形成している。
【００２４】
シール蓋８は、本実施形態において、口頸部６を封鎖するように口頸部６の上端面に気密に取り付けている。
【００２５】
キャップ１０は、キャップ本体１２と蓋体４２とで形成している。もっともこれらの構成は適宜変更することができる。
【００２６】
上記キャップ本体１２は、口頸部６に対して装着可能な上下両端開口の外周壁１４を有し、この外周壁１４の内部に開孔手段２０を形成している。
【００２７】
図示例において、上記外周壁１４は、大径周壁部１４ａの上端から内向きフランジ部１４ｂを介して小径周壁部１４ｃを起立している。上記大径周壁部１４ａの内面には螺条を形成して、上記口頸部６の中間部６ｂ外面へ螺着できるようにしている。また上記内向きフランジ部１４ｂの下面に環状リブ１５が形成されており、上記大径周壁部１４ａを上記中間部６ｂへ螺着することにより、上記環状リブ１５と口頸部６の上端面との間にシール蓋８が挟持されるように形成している。また上記内向きフランジ部１４ｂの上面からは、係止筒部１６を起立している。また上記小径周壁部１４ｃの上部は、先端大径のテーパ状部１８に形成している。もっともこれらの構造は適宜変更することができる。
【００２８】
上記開孔手段２０は、図１に示す如く、複数の弾性支承片２２と基部２４とカッター２６と押圧片３２とで形成される。
【００２９】
上記弾性支承片２２は、本実施形態において、外周壁１４の半径方向に配向して、外端を小径周壁部１４ｃの内面の連結点Ｊに、内端を基部２４にそれぞれ連結している。弾性支承片２２は、小径周壁部１４ｃの周方向に等間隔で形成することが好ましい。図示の弾性支承片２２は、上記連結点Ｊから上記基部２４へ、上内方へ傾斜して延びており、開孔手段２０の下方への弾性反転が可能に形成している。
【００３０】
上記基部２４は、図示例においてリング体として形成している。しかしながら、口頸部６からの内容物の注出が可能である限り、基部２４はどのような構造でも構わない。
【００３１】
上記基部２４からは、上述のカッター２６及び押圧片３２をそれぞれシール蓋８の側へ突出している。図３に示す如く、上記基部２４が位置する仮想水平面Ｉからのカッター２６の突出長Ｌ１は、仮想水平面Ｉからの押圧片３２の突出長Ｌ２よりも大きい。これにより、開孔手段２０をシール蓋８側へ動かしたときに、押圧片３２がシール蓋８に接する前にカッター２６がシール蓋８へ突入することになる。  
【００３２】
上記カッター２６は、垂直方向から見て、図１に示すように、中心点Ｃから放射形状に広がる複数のカッター刃２８を基部２４に連設している。図示例では、４枚のカッター刃２８を十字形になるように連結しているが、例えば３枚のカッター刃２８、或いは５枚のカッター刃を放射状に配置し、中心点においてカッター刃同士を、また外端側でカッター刃と基部２４とをそれぞれ連結しても構わない。
【００３３】
各カッター刃２８は、少なくとも中心点Ｃ近くで下端面を傾斜面Ｓ１としており、中心点側の下端面部分が刃先としてシール蓋８に刺さるように形成している。放射形状に配列されたカッター刃２８の刃先をシール蓋８に放射形状の孔が開口するように形成している。この孔は、後述の押圧片３２によりさらに押し広げられる。なお、図示例では、中心点Ｃから離れたカッター刃部分を、下端面を水平面Ｓ２とする補助押圧部３０としている。補助押圧部３０は、押圧片３２とともに孔を押し広げる作用を有する。しかしながら、補助押圧部３０を省略して、カッター刃２８の下端面全体を傾斜面としても構わない。
【００３４】
上記押圧片３２は、本実施形態において、図３に示す如く、基部２４から内方突出する連結棒部３４と、この連結棒部３４から垂下する押圧突起３６とで形成している。押圧突起３６は、上側から見て、放射方向に配向された垂直板状に形成されている。
【００３５】
上記押圧片３２の機能は、カッター２６により開口された孔ｈを押し広げることである。押圧突起３６がシール蓋に圧接されることで、少なくとも押圧片の形成箇所において、上述の孔は、押圧突起３６の外端まで押し広げられる（図６（Ａ）参照）。カッター２６の中心点Ｃから各押圧突起３６の外端までの距離Ｒ１は等距離とすることが好適である。
【００３６】
押圧片３２と同様に、補助押圧部３０も補助押圧部３０の外端まで上述の孔ｈを押し広げる。好適な図示例において、カッター２６の中心点Ｃから各補助押圧部３０の外端までの距離Ｒ２は等距離であり、各押圧突起３６の外端までの距離Ｒ１とも等しい。これにより上述の孔ｈを均等に押し広げることができる。図示例では、上記仮想水平面Ｉから押圧片３２までの突出長Ｌ２と上記仮想水平面Ｉから補助押圧部３０の下面までの突出長とを同程度としている。
【００３７】
上記蓋体４２は、頂壁部４４の外周部から大径の蓋周壁４６及び小径のシール筒部４８をそれぞれ垂下している。そして蓋周壁４６の下端部は上記係止筒部１６の外面に着脱可能に嵌合している。またシール筒部４８は、上記小径周壁部１４ｃ内に液密に嵌合している。
【００３８】
上記構成によれば、キャップ本体１２から蓋体４２を外した後に開孔手段２０の基部２４を押し下げると、開孔手段２０の基部２４とカッター２６及び押圧片３２は、弾性支承片２２の作用により下方へ弾性反転する。これにより、シール蓋に孔が開口され、次にその孔が押し広げられることで封緘が解除される。以下、図面により、この行程を説明する。
【００３９】
図５は、カッター２６がシール蓋８に突入した直後の状態を示している。同図（Ｂ）に示す如く、カッター２６の刃先のみがシール蓋８に刺さり、十字形の孔ｈが開口する。この段階では押圧片３２は未だシール蓋８に当接していない（同図（Ｃ）参照）。
【００４０】
図６は、図５の状態からさらに基部２４とカッター２６及び押圧片３２とが下降した状態を示している。同図（Ｃ）に示す如く、押圧片３２がカッター刃２８同士の間のシール蓋部分に当接して押し下げることで孔ｈが大きく押し広げられている。また同図（Ｂ）に示す如く、補助押圧部３０もシール蓋に当接して孔をさらに大きく押し広げることに寄与している。本実施形態では、孔は同図（Ａ）に示すように、正八角形状に押し広げられている。
【００４１】
内容物を吐出するときには、その状態から容器を反転させればよい。内容物は、上述の押し広げられた孔ｈを通り、基部であるリング体の内部を追加して外部へ吐出されるので、使い勝手がよい。
【００４２】
以下本発明の他の実施形態を説明する。これらの説明において第１実施形態と同じ構成については解説を省略する。
【００４３】
図７から図９は、本発明の第２実施形態を示している。本実施形態では、上記押圧片３２の押圧突起３６を縦棒形状にしたものである。
【００４４】
図１０から図１２は、第２実施形態の変形例を示す。この変形例では、連結棒部３４を長くすることで押圧突起３６をカッター２６の中心点Ｃ側へ移動させている。垂直方向から見たときに、上記押圧突起３６は、隣接する２本のカッター刃２８の外端を結ぶ仮想線分の上に位置している。この構成によれば、上述のカッター２６で形成した孔ｈを押圧片３２で押し広げるときに、図１２に示す如く、押し広げられた孔ｈの形状が略四角形状となる。
【符号の説明】
【００４５】
２…容器体  ４…胴部  ６…口頸部  ６ａ…下部  ６ｂ…中間部  ６ｃ…上部
８…シール蓋
１０…キャップ  １２…キャップ本体  １４…外周壁
１４ａ…大径周壁部  １４ｂ…内向きフランジ部  １４ｃ…小径周壁部
１５…環状リブ  １６…係止筒部  １８…テーパ状部
２０…開孔手段  ２２…弾性支承片  ２４…基部  ２６…カッター
２８…カッター刃  ３０…補助押圧部
３２…押圧片  ３４…連結棒部  ３６…押圧突起
４２…蓋体  ４４…頂壁部  ４６…蓋周壁  ４８…シール筒部
Ｃ…中心点  ｈ…孔  Ｉ…仮想水平面  Ｊ…連結点  
Ｓ１…傾斜面  Ｓ２…水平面  
【図１】
2015209238.tif 000003
【図２】
2015209238.tif 000004
【図３】
2015209238.tif 000005
【図４】
2015209238.tif 000006
【図５】
2015209238.tif 000007
【図６】
2015209238.tif 000008
【図７】
2015209238.tif 000009
【図８】
2015209238.tif 000010
【図９】
2015209238.tif 000011
【図１０】
2015209238.tif 000012
【図１１】
2015209238.tif 000013
【図１２】
2015209238.tif 000014